(57)【特許請求の範囲】
【請求項１】
壁面に設置される、前面に扉を備えた収納ボックスであって、
前記収納ボックスは、前記壁面に固定される施工プレートと、前記施工プレートに保持されて固定されるボックス部を備え、
前記施工プレートには、前記壁面に固定される壁面固定部と、前記壁面固定部より前方に突出するボックス取付け部が設けられ、
前記ボックス取付け部は、前記壁面固定部から前方に突出する支持部と、前記支持部の前端部から上下方向に折れ曲がったボックス固定部とを有し、
前記ボックス固定部には、前記ボックス部を保持するための係止部が設けられ、
前記支持部には、前記壁面の上方及び下方の少なくともいずれかの方向に光を照射するための照明装置が設けられ、
前記ボックス部の背面には、前記係止部に係止される被係止部が設けられ、
前記壁面に前記施工プレートが固定され、前記施工プレートに前記ボックス部が係止されて固定された状態で、前記ボックス部の背面から前記壁面の上方及び下方の少なくともいずれかの方向に光が照射されることを特徴とする収納ボックス。
【請求項２】
前記係止部は、上方に開口した切欠き形状に設けられていることを特徴とする請求項１に記載の収納ボックス。
【請求項３】
前記施工プレートに前記ボックス部が係止された状態で、前記施工プレートに前記ボックス部がねじにより固定されていることを特徴とする請求項１又は２に記載の収納ボックス。
【請求項４】
前記被係止部は、前記ボックス部の背面側にボルトの頭部が突出するように前記ボックス部に挿通されたボルトにより形成されるとともに、そのボルトのねじ部に前記ボックス部の内側からナットが固定され、
前記ボルトの頭部とねじ部の間には回転規制部が設けられ、その回転規制部は、前記係止部に嵌合して回転しない形状に形成され、
前記係止部に、前記ボルトが係止された状態で前記ボルトと前記ナットの締め付けにより、前記施工プレートと前記ボックス部が固定されていることを特徴とする請求項１から３のいずれか一項に記載の収納ボックス。
【発明の詳細な説明】
【技術分野】
【０００１】
本発明は、収納ボックスに関する。
【背景技術】
【０００２】
従来より、郵便物等の小型配達物を受取り保管するための郵便受け等の収納ボックスが、門、門袖、ブロック塀、建物等の壁面に設置されている。
【０００３】
このような収納ボックスは、通常、ステンレス鋼板やガルバリウム鋼板等で成型された、郵便物等を受入保管する保管室部と、この保管室部から郵便物等を取出すための扉を有している。そして、このような収納ボックスとしては、建物の形態やその外部環境等に応じて様々な形状や構造のものが知られている。
【０００４】
例えば、前面に扉を備え、建物やブロック塀等の壁面の表側に直接固定される収納ボックスや、壁面の裏側に郵便物等の保管室部を有し、壁面の表側に郵便物等の投入口を臨ませるようにした収納ボックスが知られている。また、これら収納ボックスに、優れたデザイン性と機能性を付与させたものが提案され用いられている。
【０００５】
このような収納ボックスとしては、例えば、収納ボックスの扉にランプ等の照明装置を内蔵させ、収納ボックスに夜間照明としての機能を付与したものが提案されている（例えば、特許文献１を参照）。
【先行技術文献】
【特許文献】
【０００６】
【特許文献１】特開昭５２−５５６９７号公報
【発明の概要】
【発明が解決しようとする課題】
【０００７】
しかしながら、通常、このような機能性を付与した収納ボックスの設置施工においては、重量のある収納ボックスを設置位置の高さまで持ち上げて、その高さで保持させた状態で壁面に取り付ける必要があるため、収納ボックスの正確な位置への取付けが必ずしも容易ではなかった。
【０００８】
また、特許文献１の照明装置を内蔵した収納ボックスにおいては、照明装置を扉の内側に内蔵させているため構造が複雑であり、また、照明装置から照射された光が前方方向のみに照射されるため、照明効果に乏しいものであった。
【０００９】
本発明は、上記従来の問題点に鑑みてなされたものであり、前面に扉を備えた収納ボックスにおいて、簡便にして正確な位置への取り付けが容易であり、ボックス部の背面から間接的に光の照射が可能な、照明効果に優れた収納ボックスを提供することを課題とする。
【課題を解決するための手段】
【００１０】
本発明は、上記の課題を解決するために、以下のことを特徴としている。
【００１１】
すなわち、本発明の収納ボックスは、壁面に設置される、前面に扉を備えた収納ボックスであって、前記収納ボックスは、前記壁面に固定される施工プレートと、前記施工プレートに保持されて固定されるボックス部を備え、前記施工プレートには、前記壁面に固定される壁面固定部と、前記壁面固定部より前方に突出するボックス取付け部が設けられ、前記ボックス取付け部は、前記壁面固定部から前方に突出する支持部と、前記支持部の前端部から上下方向に折れ曲がったボックス固定部とを有し、前記ボックス固定部には、前記ボックス部を保持するための係止部が設けられ、前記支持部には、前記壁面の上方及び下方の少なくともいずれかの方向に光を照射するための照明装置が設けられ、前記ボックス部の背面には、前記係止部に係止される被係止部が設けられ、前記壁面に前記施工プレートが固定され、前記施工プレートに前記ボックス部が係止されて固定された状態で、前記ボックス部の背面から前記壁面の上方及び下方の少なくともいずれかの方向に光が照射されることを特徴とする。
【発明の効果】
【００１２】
本発明によれば、前面に扉を備えた収納ボックスにおいて、簡便にして正確な位置への取り付けが容易であり、ボックス部の背面から上方又は下方に向けて間接的に光の照射が可能な、照明効果に優れた収納ボックスを提供することができる。
【図面の簡単な説明】
【００１３】
【図１】本発明の収納ボックスの構造の一実施形態を示す概略分解斜視図である。
【図２】本発明の収納ボックスの構造の他の実施形態を示す概略分解斜視図である。
【図３】係止部にボルトの回転規制部を嵌合させる状態を示す概略斜視図である。
【図４】ボックス取付け部の支持部に長手方向にスリットを形成し、支持部の内側に照明装置を設置した実施形態の概略斜視図である。
【図５】本発明の収納ボックスの照明装置により上方及び下方に光を照射した状態を示す概略斜視図である。
【発明を実施するための形態】
【００１４】
以下、発明を実施するための形態を示し、本発明の収納ボックスをさらに詳細に説明する。図１は本発明の収納ボックス１の構造の一実施形態を示す概略分解斜視図である。
【００１５】
本実施形態の収納ボックス１は、壁面２に設置される、前面に扉５を備えた収納ボックス１であって、壁面５に固定される施工プレート３と、その施工プレート３に保持されて固定されるボックス部４を備えている。
【００１６】
施工プレート３には、壁面５に固定される壁面固定部６と、その壁面固定部６より前方に突出するボックス取付け部９が設けられている。
【００１７】
また、ボックス取付け部９には、ボックス部４を保持するための係止部７と、壁面５の上方及び下方の少なくともいずれかの方向に光を照射するための照明装置２３が設けられ、ボックス部４の背面には、係止部７に係止される被係止部８が設けられている。
【００１８】
そして、壁面５に施工プレート３が固定され、その施工プレート３にボックス部４が係止されて固定された状態で、ボックス部４の背面から上方及び下方の少なくともいずれかの方向に光が照射されるようになっている。
【００１９】
施工プレート３は、ボックス部４を壁面２に固定するための部材である。施工プレート３の壁面固定部６には、図１に示すように、ねじ１８等により壁面２に施工プレート３を固定するためのねじ留め孔１９が設けられている。施工プレート３は、ねじ留め孔１９にねじ１８等を介して壁面２に強固に固定される。
【００２０】
なお、施工プレート３は、壁面２に対してできる限り強固に固定する必要があるため、壁面２に予め下穴２０を開けておき、その下穴２０に固定用プラグ２１を挿入し、これにねじ１８を螺着して固定したり、アンカーを用いて固定することが望ましく考慮される。また、ねじ１８による固定と、セメントや接着剤等による固定を併用してさらに強固に固定することもできる。
【００２１】
また、施工プレート３には、壁面固定部６より前方に突出するボックス取付け部９が設けられている。ボックス取付け部９は、壁面固定部６から前方に突出する支持部１６と、その支持部１６の前端部から直角に折り曲げて設けられたボックス固定部１７を備え、そのボックス固定部１７に係止部７が設けられている。
【００２２】
施工プレート３の大きさや厚みは、施工プレート３を取り付ける壁面２の形状や材質、固定するボックス部４の大きさや重さ等に応じて適宜決定することができる。また、施工プレート３の材質としては、施工プレート３が容易に変形や破損しないものであれば特に制限はなく、例えば、ステンレス鋼板や亜鉛めっき鋼板等の金属板や硬質の樹脂板等を用いることができる。
【００２３】
ボックス部４は、郵便物等の配達物が収納可能な保管室部１３を有しており、前面には保管室部１３から配達物等を出し入れが可能な開口部とその開口部を開閉する扉５が設けられている。
【００２４】
扉５は、例えば、保管室部１３の開口部の左右いずれかに蝶番により取付けられており、手前に引くことにより前面を大きく開くことができる。また、扉５には用途に応じて、例えば、比較的小さい郵便物等を投入可能な小窓５１や、後述の図５のように、防犯性を考慮してダイヤル式の錠５２を設けることもできる。
【００２５】
ボックス部４の材質は特に限定されるものではないが、通常、耐候性、デザイン性に優れたステンレス鋼、亜鉛めっき鋼、ガルバリウム鋼等の金属や樹脂等により形成させたものが好適に用いられる。
【００２６】
また、ボックス部４の背面には、施工プレート３のボックス取付け部９に設けられた係止部７に引掛り、ボックス部４を保持させるための被係止部８が設けられている。
【００２７】
施工プレート３に設けられた係止部７と、ボックス部４の背面に設けられた被係止部８は、相互に対応する位置関係で設けられている。
【００２８】
そして、設置施工時には、施工プレート３の係止部７に、ボックス部４の被係止部８が引っ掛かった状態で相互に噛み合い、壁面２に固定された施工プレート３からボックス部４が容易に脱落しないように保持される。
【００２９】
図１のように、壁面固定部６より前方に突出して設けたボックス取付け部９に係止部７を形成することにより、取付け施工時に安定して容易に係止部７に対して被係止部８を引掛けて係止させることが可能となり、設置施工の作業性を向上させることができる。
【００３０】
なお、係止部７の形状は、ボックス部４の背面に設けた被係止部８を引掛けて係止できる形状のものであれば特に制限されるものではなく、矩形の切欠き形状に形成したり、図１〜図４に示すような途中で直角に折れ曲がったＬ字状の切欠き形状とすることができる。
【００３１】
図１〜図４に示すような、直角に折れ曲がった切欠き形状の係止部７に対して被係止部８を係止させる場合には、係止部７の上方から被係止部８を挿入し、下まで挿入したところで水平にずらすことにより確実に係止させることができる。これにより、設置施工時に施工プレート３からのボックス部４の脱落を確実に防止することができ、落下によるボックス部４の破損を防止することができる。
【００３２】
本実施形態の収納ボックス１においては、壁面２に固定された施工プレート３にボックス部４を保持させた状態で、施工プレート３とボックス部４が固定される。
【００３３】
施工プレート３とボックス部４の固定方法は特に限定されるものではなく、例えば、ボックス部４の保管室部１３の内部から、ねじ２２により施工プレート３の壁面固定部６やボックス取付け部９に固定したり、ボルトとナットにより相互を固定することもできる。また、施工プレート３の壁面固定部６やボックス取付け部９と、ボックス部４の背面とを接着剤や接着力が強力な両面テープにより固定したり、ねじ２２による固定と併用することもできる。
【００３４】
また、本実施形態の収納ボックス１においては、図２に示すように、ボックス部４の被係止部８をボックス部４の背面側にボルト１０の頭部１１が突出するように挿通させたボルト１０により形成し、ボルト１０のねじ部１２に、保管室部１３の内側からナット１４を締めつけて固定するのが好ましく考慮される。
【００３５】
このように、ボルト１０を被係止部８として係止部７に保持させ、この状態でボルト１０にナット１４を螺合させて締め付けることにより、被係止部８としてのボルト１０と締め付けたナット１４により施工プレート３とボックス部４を強固に固定することができる。
【００３６】
また、ボルト１０の頭部１１とねじ部１２の間に、施工プレート３のボックス取付け部９に設けられた係止部７に嵌合し、回転しない形状の回転規制部１５が形成されていることが好ましく考慮される。
【００３７】
ボルト１０の回転規制部１５が係止部７に嵌合する形状としては、係止部７にボルト１０が嵌合して回転しなければ特に限定されるものではないが、例えば、図３に示すように、ボルト１０の回転規制部１５の軸に対して直角方向の断面形状を係止部７に挿入可能な矩形の形状とすることができる。これにより、係止部７に被係止部８のボルト１０を係止させた状態で嵌合し、ボルト１０が回転しないようにすることができる。また、この状態で保管室部１３の内側からナット１４を回転させて締め付けても、ボルト１０は回転せず、容易に施工プレート３とボックス部４を強固に固定させることができる。
【００３８】
また、係止部７に被係止部８を保持させた状態で、被係止部８のボルト１０とナット１４以外のねじ２２等により施工プレート３とボックス部４を固定する必要がないため、より簡便で効率的な設置施工が可能となる。
【００３９】
さらに、本実施形態の収納ボックス１においては、ボックス取付け部９の支持部１６の長さを係止部７に被係止部８を係止させた際に、壁面固定部６にボルト１０の頭部１１が圧接し、ナット１４を締め付けてもボルト１０が回転しない長さに形成することが好ましく考慮される。
【００４０】
このように、支持部１６の長さを壁面固定部６にボルト１０の頭部１１が圧接し、ボルト１０が回転しない長さとすることにより、係止部７とボルト１０の回転規制部１５を嵌合させてボルト１０を固定させなくても、ナット１４の締め付けによりボルト１０が回転しないようにすることができる。
【００４１】
また、支持部１６の長さをボルト１０の頭部１１が壁面固定部６に圧接して回転しない長さとし、さらに、係止部７とボルト１０の回転規制部１５を嵌合させてボルト１０を固定させることにより、確実に係止部７に被係止部８を係止させることができる。
【００４２】
本実施形態の収納ボックス１においては、ボックス取付け部９に、収納ボックス１の上方及び下方の少なくともいずれかの方向に光を照射するための照明装置２３が設けられている。
【００４３】
照明装置２３は、ボックス取付け部９の壁面固定部６から前方に突出する支持部１６に取付けが可能であり、上方又は下方に光を照射可能なものであれば特に制限はなく、例えば、ＬＥＤ照明装置や蛍光灯照明装置等を用いることができる。
【００４４】
これらの中でも、消費電力や装置寿命等の観点からＬＥＤ照明装置を用いるのが好ましく、設置の容易性の観点から、ＬＥＤ素子２４をボックス取付け部９の横長手方向一列に設置可能なＬＥＤライン照明装置を用いるのがより好ましい。また、これら照明装置２３の発光部には、光を一様に照射させるために光拡散部材や、光導光部材等を設けることもできる。さらに、照明装置２３は防水機能を備えたものを用いることが好ましく考慮される。
【００４５】
照明装置２３を設置する位置は、上側のボックス取付け部９にあっては、支持部１６の上部、下側のボックス取付け部９にあっては、支持部１６の下部に設置することができる。
【００４６】
また、図４に示すように、ボックス取付け部９の支持部１６に長手方向にスリット２５を形成するとともに、支持部１６の内側に照明装置２３を設置し、スリット２５を介して、収納ボックス１の上方又は下方に光を照射可能に設置することができる。また、少なくとも支持部１６を透明な部材で形成し、この透明の支持部１６を通して上方又は下方に光を照射させることもできる。
【００４７】
なお、このように支持部１６の内側に照明装置２３を設置する場合には、支持部１６の側面を塞ぐように、施工プレート３の側面に側壁を設けることもできる。これにより、照明装置２３が設置された支持部１６の内側に、雨等の水滴の侵入を防止することができる。
【００４８】
また、照明装置２３としてＬＥＤ照明装置を用いる場合、通常、ＬＥＤ素子２４は発光方向に指向性を有するため、設置する位置によってＬＥＤ素子２４の発光方向を考慮することが望ましい。また、施工プレート３自体を光の反射率が高い材料で形成し、施工プレート３にＬＥＤ素子２４の発光を反射させて、間接的な照明を設定することもできる。
【００４９】
照明装置２３の配線は特に限定させるものではないが、設置後の収納ボックス１の正面から配線が視認できないように配線するのが好ましい。例えば、支持部１６、壁面固定部６及び壁面に配線用の孔を設け、この配線用の孔から壁面の裏側に導くように配線することにより、正面から視認できないようにすることができる。また、照明装置２３の電源は、使用する照明装置２３に応じて、一般家庭用電源や、太陽光発電システムの蓄電池等からの電気を用いることができる。
【００５０】
また、照明装置２３のスイッチは、特に限定させるものではなく、例えば一般的に公知のボタン式のスイッチや、暗くなると照明装置２３を自動点灯させることができるＥＥスイッチ等を状況に応じて適宜決定して用いることができる。
【００５１】
このように、ボックス取付け部９に照明装置２３を設け、ボックス取付け部９にボックス部４を固定した状態で照明装置２３を点灯させることにより、図５に示すように、ボックス部４の背面から上方又は下方に向けて、間接的な光の照射が可能となる。また、収納ボックス１の上部又は下部に表札等を設置することにより、夜間、表札等を効果的に照らし出すことができ、照明効果に優れた収納ボックスとすることができる。
【００５２】
以下に、本実施形態の収納ボックス１の取り付け方法の一実施形態を図２に示す実施形態の収納ボックス１の構造の概略分解斜視図を用いて説明する。
【００５３】
まず、壁面２に施工プレート３を固定する。具体的には、施工プレート３を固定する壁面２の位置に予め下穴２０を開けておき、そこに固定用プラグ２１を挿入して施工プレート３の壁面固定部６に設けられたねじ留め孔１９を介してねじ１８を螺着する。これにより壁面２に施工プレート３が強固に固定される。また、施工プレート３は収納ボックス１と比較して軽いため、施工プレート３を手で持ちながら取り付けても、正確な位置への取り付けが可能となる。
【００５４】
なお、施工プレート３のボックス取付け部９には、予め照明装置２３を設置しておく。また、壁面２と施工プレート３との固定の際には、施工プレート３の壁面固定部６と壁面２に配線用の孔を開け、その孔に照明装置２３の配線を通して配線処理を行う。
【００５５】
次に、ボックス部４の背面側にボルト１０の頭部１１が突出するように挿通させた被保持部のボルト１０のねじ部１２に、保管室部１３の内側からナット１４を緩く螺合させた状態とする。そして、ボルト１０の回転規制部１５を施工プレート３の保持部に上方から下方に挿入して、さらに水平方向にずらして係止部７と回転規制部１５を嵌合し係止させ、施工プレート３にボックス部４を保持させる。
【００５６】
そして、この状態で保管室部１３の内側からさらにナット１４を強く締め付けることにより、施工プレート３とボックス部４を強固に固定する。
【００５７】
上記の取付け方法により、本実施形態の収納ボックス１を壁面２に対して強固に固定することができる。
【００５８】
以上、本発明の収納ボックスを実施形態に基づいて説明したが、本発明の収納ボックスは上記の実施形態に限定されるものではなく、その要旨を逸脱しない範囲内において種々の変更が可能である。
【００５９】
例えば、上記実施形態では、照明装置２３として直線状の形状の照明装置２３を用いたが、形状は直線状に限定されるものではなく、例えば、緩いアーチ状の形状の照明装置２３を用いたり、部分的に傾斜を持たせた照明装置２３を用いることもできる。
【００６０】
このように直線状以外の形状の照明装置２３を用いることにより、収納ボックスの背面から照射させる光のバリエーションを多様のものとすることができ、さらに複雑な照明効果を発現させることができる。
【００６１】
上記の構成を有する本発明の収納ボックスによれば、簡便にして正確な位置への取り付けが容易であり、ボックス部の背面から上方又は下方に向けて間接的に光の照射が可能な、照明効果に優れた収納ボックスとすることができる。
【符号の説明】
【００６２】
１  収納ボックス
２  壁面
３  施工プレート
４  ボックス部
５  扉
６  壁面固定部
７  係止部
８  被係止部
９  ボックス取付け部
１０  ボルト
１１  頭部
１２  ねじ部
１３  保管室部
１４  ナット
１５  回転規制部
１６  支持部
１７  ボックス固定部
２３  照明装置
【図１】
0006528324.tif 000002
【図２】
0006528324.tif 000003
【図３】
0006528324.tif 000004
【図４】
0006528324.tif 000005
【図５】
0006528324.tif 000006